(57)【要約】【課題】ハブ本体の内面での作業を極力削減することにより、作業性の向上を図り、組立時間を短縮する送風機を実現することを目的としている。【解決手段】ハブ本体１とブレード５とブレードブラケット３と中間ブラケット２で構成され、中間ブラケット２をブレード５とブレードブラケット３の中間に配置して、ブレード５の組付け作業をハブ本体１の外側から行うことができるようにすることにより作業性の向上を図り、組立時間を短縮するものである。【選択図】図１
2012246770.tif 000002
【特許請求の範囲】
【請求項１】
ハブ本体と、
このハブ本体の外周側に放射状に設けられるブレードと、
このブレードをハブ本体のブレード取付用開口に取り付けるブレード固定手段と、
前記ハブ本体の内部にあってブレード角を変更するカムフロアとを有し、
前記ブレード固定手段は、
外周側から前記ブレード取付用開口に取り付けるブレード固定手段Ａと、
内周側から前記ブレード取付用開口に取り付けるブレード固定手段Ｂとで構成され、
前記ブレード固定手段Ａと前記ブレード固定手段Ｂは、前記ハブ本体に設けられたブレード取付用開口に、前記ハブ本体を挟むようにして取り付けられ、
前記ブレード固定手段Ａに外周側から前記ブレードを固定し、
前記ブレード固定手段Ｂに内周側から前記カムフロアを接続した動翼可変機構を有する軸流送風機。
【請求項２】
前記ブレード固定手段Ｂと前記ハブ本体との間に軸受を設けた請求項１記載の軸流送風機。
【請求項３】
前記ブレード取付用開口は、外周側の大径の開口と、内周側の小径の開口とで構成され、
前記ブレード固定手段は、この内周側の小径の開口を挟むように取り付けられる請求項１または２記載の軸流送風機。
【発明の詳細な説明】
【技術分野】
【０００１】
本発明は、動翼の角度を任意に変更することにより風量を変更することが可能な送風機の動翼機構に関する。
【背景技術】
【０００２】
例えば、道路トンネル内の換気装置に用いられる軸流送風機においては、トンネル内の交通量の変化などに対応して、送風量を変化させる制御が取り入れられていることが多い。その送風量を変化させる方法としては、送風機の回転数をインバータなどを用いて変化させる方法もある。しかし、大型の送風機では高価なインバータを用いずに送風機の動翼の角度を変更して送風量を変化させる方法も多くとられている。
【０００３】
その風量を可変とすることが可能な送風機の動翼機構では油圧又は空気圧を用いて羽根車内に配置した動翼の軸を回転させる方法が知られている。
【０００４】
以下、その方法について、図６を参照しながら説明する。
【０００５】
図６に示すように、ブレード１０５を保持するためのブラケットリテーナ１０２は、ハブ本体１０１に加工されたブレード取付孔１１３内面に密着し、締結ボルト１０９で取り付けられている。ブレードブラケット１０３は、ハブ本体１０１の内面に配置され、ブレード１０５を回転可能に保持する。ブレード１０５は、ブレード１０５に加工されたねじ１０６によりブレードブラケット１０３に結合されている。ブレードブラケット１０３には、カウンタウエイト１１１がカウンタバランスメンバ１１２を介して結合されている。カウンタバランスメンバ１１２は、カウンタウエイト１１１をブレード１０５に対して適切な位置に支持するものである。また、カウンタウエイト１１１はブレード１０５に発生する力とカウンタウエイト１１１により発生する力をバランスさせるためのものである。羽根車が回転しているとき、ブレード１０５には、遠心力によりブレード１０５とハブ本体１０１との取付角度が小さくなる方向へ回転しようとする力が発生する。カウンタウエイト１１１は、ブレード１０５に対して適切な位置に配置することにより、遠心力によりブレード１０５とハブ本体１０１との取付角度が大きくなる方向へ回転させる力を発生させるのである。ブレード１０５の最下端部１０７には、ハブ本体１０１内部にある動翼可変機構（図示せず）からの駆動力をブレード１０５に伝達するためのカムフロア１０８が結合されている。ブレードブラケット１０３とブラケットリテーナ１０２の間には軸受１０４が配置されているため、油圧または空気圧を動力とした動翼可変機構からの駆動力をカムフロア１０８に与えることによりブレード１０５が軸を中心として回転してブレード１０５の角度を変更することができる。
【先行技術文献】
【特許文献】
【０００６】
【特許文献１】特開平１１−２１９９号公報
【発明の概要】
【発明が解決しようとする課題】
【０００７】
このような従来の構成では、組立時にハブ本体１０１の内面よりブレードブラケット１０３、カウンタバランスメンバ１１２、カムフロア１０８などを組付けることになり、ハブ本体１０１の直径が比較的小さい場合、組立作業性が著しく低下する。また、カウンタバランスメンバ１１２の取り付け角度を調整後、固定ねじ１１０を締め付けることにより固定するため、これもハブ本体１０１内面での作業となり、作業性を低下させる一因となる。また、ブラケットリテーナ１０２は締結ボルト１０９によりハブ本体１０１に固定するため、ハブ本体１０１にはそのためのねじ穴加工がブレード１０５一枚につき複数必要となるため製造コストを上昇させる要因となる。という課題がある。
【０００８】
本発明は、このような従来の課題を解決するものであり、ハブ本体の内面での作業を極力削減することにより、作業性の向上を図り、組立時間を短縮する送風機を実現することを目的としている。
【課題を解決するための手段】
【０００９】
このような課題を解決するために本発明は、
ハブ本体と、このハブ本体の外周側に放射状に設けられるブレードと、このブレードをハブ本体に取り付けるブレード固定手段と、前記ハブ本体の内部にあってブレード角を変更するカムフロアとを有し、前記ブレード固定手段は、外周側から前記ブレード取付用開口に取り付けるブレード固定手段Ａと、内周側から前記ブレード取付用開口に取り付けるブレード固定手段Ｂとで構成され、前記ブレード固定手段Ａと前記ブレード固定手段Ｂは、前記ハブ本体に設けられたブレード取付用開口に、前記ハブ本体を挟むようにして取り付けられ、前記ブレード固定手段Ａに外周側から前記ブレードを固定し、前記ブレード固定手段Ｂに内周側から前記カムフロアを接続したものであり、ブレード組立部品をハブ本体の外側からの作業で組立を可能とすることができるようにするものである。
【発明の効果】
【００１０】
本発明によれば、ブレード固定手段は、外周側からブレード取付用開口に取り付けるブレード固定手段Ａと、内周側からブレード取付用開口に取り付けるブレード固定手段Ｂとで構成され、ブレード固定手段Ａとブレード固定手段Ｂは、ハブ本体に設けられたブレード取付用開口に、ハブ本体を挟むようにして取り付けられ、ブレード固定手段Ａに外周側からブレードを固定し、ブレード固定手段Ｂに内周側からカムフロアを接続したので、ハブ本体にブレードを組付ける作業においては、組立初期にハブ本体の内面でブレード固定手段を取り付ける以外の作業は、ハブ本体の外側から行うことができる。従って、組立作業性の向上を図り、組立時間を短縮する送風機を実現することができる。また、ハブの直径が比較的小さい場合でも作業性を低下させることなく組立を行うことができる。
【図面の簡単な説明】
【００１１】
【図１】本発明の実施の形態１によるブレード固定の構成を示す図
【図２】同ハブ本体の内側から見た平面図
【図３】同ブレードブラケットとカウンタバランスメンバを一体化した構成図
【図４】同軸流送風機の全体図
【図５】同ブレード取付の分解構成図
【図６】従来の構成を示す構成図
【発明を実施するための形態】
【００１２】
本発明の第１の手段は、ハブ本体と、このハブ本体の外周側に放射状に設けられるブレードと、このブレードをハブ本体に取り付けるブレード固定手段と、前記ハブ本体の内部にあってブレード角を変更するカムフロアとを有し、前記ブレード固定手段は、外周側から前記ブレード取付用開口に取り付けるブレード固定手段Ａと、内周側から前記ブレード取付用開口に取り付けるブレード固定手段Ｂとで構成され、前記ブレード固定手段Ａと前記ブレード固定手段Ｂは、前記ハブ本体に設けられたブレード取付用開口に、前記ハブ本体を挟むようにして取り付けられ、前記ブレード固定手段Ａに外周側から前記ブレードを固定し、前記ブレード固定手段Ｂに内周側から前記カムフロアを接続した構成で、ブレード組立部品をハブ本体の外側からの作業で組立を可能とすることができるようにするものである。
【００１３】
以下に、本発明の実施の形態について図面を参照しながら説明する。
【００１４】
（実施の形態１）
図１〜５を用いて本発明の第１実施の形態について説明する。
【００１５】
図４に本願発明を適用した軸流送風機２０を示す。この軸流送風機２０には、放射状にブレード５（図４では図示せず）を持つ羽根車２１を有している。
【００１６】
図１に示すように、ハブ本体１の円周上には、円形のブレード取付用開口１２が等間隔に加工され、このブレード取付用開口１２の内側面には、ブレード固定手段Ｂとなるブレードブラケット３が配置されている。ブレードブラケット３は、軸受４を介してハブ本体１に接している。ブレード固定手段Ａとなる中間ブラケット２は、ブレード取付用開口１２の外周側から取り付けられる。そして、ブレードブラケット３と中間ブラケット２は、ハブ本体１を挟むようにしてブレード取付用開口１２に中間ブラケット固定ねじ７により結合されて取り付けられる。すなわち、中間ブラケット２とブレードブラケット３は、ハブ本体１に対して回動可能になっている。ブレード取付用開口１２は、径の異なる開口を同心に形成したものとなっている。言い換えれば、大径の円形開口（円形開口１２ａ）内に、同心に小径の円形開口（円形開口１２ｂ）が形成されている。大径の円形開口１２ａは、外周側に設けられている。ハブ本体１の回転時は遠心力によりブレードブラケット３が小径の円形開口１２ｂに押し付けられるため、軸受４は小径の円形開口１２ｂ側のみに配置することでブレード５の角度を滑らかに変化させることができる。ハブ本体１の内面側の中間ブラケット２のハブ本体１外周側の面には、ブレード５がブレード固定ねじ６により接続されている。また、ブレードブラケット３のハブ本体１内側の面には、カウンタバランスメンバ９がカウンタバランスメンバ固定ねじ１１により接続されている。そして、カウンタバランスメンバ９には、カウンタウエイト８とカムフロア１０が固定されている。カムフロア１０は、ハブ本体１内に設けた駆動装置（図示せず）からの駆動力をブレード固定手段Ｂに伝達し、ブレード５の角度を変更することになる。
【００１７】
カウンタウエイト８は、ブレード５に対して適切な位置に配置することにより、ハブ本体１が回転したときに発生する遠心力によりブレード５に作用するハブ本体１に対する取付角度が小さくなる方向への力を、打ち消す様に作用させることができる。ここで、カウンタバランスメンバ９の形状は、カウンタウエイト８を適切な位置に配置することができるように、決定される。また、油圧または空気圧を動力とした動翼可変機構からの駆動力を適切にブレード５へ伝達するためにカムフロア１０の位置を決定し、その位置を保持するためにカウンタバランスメンバ９の形状を決定する。
【００１８】
次に、上記構成の軸流送風機の組立について説明する。ブレードブラケット３には、あらかじめカウンタバランスメンバ９、カウンタウエイト８、カムフロア１０を固定し、軸受４を取り付けた後にハブ本体１の内面に保持する。そして、ハブ本体１の外面側から中間ブラケット２を中間ブラケット固定ねじ７でブレードブラケット３に接続する。それからブレード５をブレード固定ねじ６で中間ブラケット２へ接続するという手順で組立を行うことができる。
【００１９】
このように、ハブ本体１にブレード５を組み付ける作業において、ハブ本体１の内面での作業は組立初期にブレードブラケット３を保持するのみで、それ以降の組立作業はハブ本体１の外部から行うことができるので組立作業性の向上を図り、組立時間を短縮する送風機を実現することができる。また、ハブ本体１の直径が比較的小さい場合でも作業性を低下させることなく組立を行うことができる。
【００２０】
また、ブレード固定手段Ａ（中間ブラケット２）とブレード固定手段Ｂ（ブレードブラケット３）は、小径の円形開口１２ｂを形成するハブ本体１を挟んで取り付けられており、その構成のみでブレード固定手段Ａ（中間ブラケット２）、ブレード固定手段Ｂ（ブレードブラケット３）の取付位置が決まるので、ブレードブラケット３の取付位置を決めるためのブラケットリテーナが不要となる。そのため、ブラケットリテーナを固定するためのハブ本体１の穴加工及び締結ボルトが不要となり、部品点数の削減及び作業工数の削減ができる。
【００２１】
また、図３の様にブレードブラケット３をダイキャストなどの製法によりカウンタバランスメンバ９と一体化した構造とすることにより、カウンタバランスメンバ９が不要となる。そして、ブレードブラケット３に直接カウンタウエイト８とカムフロア１０を取付けることができるようになる。これにより、カウンタバランスメンバ９をブレードブラケット３へ取付ける工数を削減し、また、カウンタウエイト８およびカムフロア１０をより精度良くブレードブラケット３へ取付けることができるという効果を得る。
【産業上の利用可能性】
【００２２】
比較的大風量で、風量を可変できる送風機を提供することができるため、工場、駐車場、道路トンネル、倉庫等の広い空間の換気用途に幅広く適用できる。
【符号の説明】
【００２３】
１      ハブ本体
２      中間ブラケット
３      ブレードブラケット
４      軸受
５      ブレード
６      ブレード固定ねじ
７      中間ブラケット固定ねじ
８      カウンタウエイト
９      カウンタバランスメンバ
１０    カムフロア
１１    カウンタバランスメンバ固定ねじ
１２    ブレード取付用開口
１２ａ  （大径の）円形開口
１２ｂ  （小径の）円形開口
２０    軸流送風機
２１    羽根車
１０１  ハブ本体
１０２  ブラケットリテーナ
１０３  ブレードブラケット
１０４  軸受
１０５  ブレード
１０６  ねじ
１０７  最下端部
１０８  カムフロア
１０９  締結ボルト
１１０  固定ねじ
１１１  カウンタウエイト
１１２  カウンタバランスメンバ
１１３  ブレード取付孔
【図１】
2012246770.tif 000003
【図２】
2012246770.tif 000004
【図３】
2012246770.tif 000005
【図４】
2012246770.tif 000006
【図５】
2012246770.tif 000007
【図６】
2012246770.tif 000008